(57)【要約】【課題】映像音声出力装置において、外部装置からの映像と関係のない音声が出力されないようにする。【解決手段】テレビジョン受像機は、Ｙ／ＣＶＢＳ端子に同期信号がある場合には（＃２でＹＥＳ）、コンポジット端子又はコンポーネント端子を選局しているときに、音声を出力する（＃３）。また、Ｙ／ＣＶＢＳ端子に同期信号がなく（＃２でＮＯ）、ＶＧＡ端子に同期信号がある場合には（＃４でＹＥＳ）、ＶＧＡ端子を選局しているときに、音声を出力する（＃５）。また、ＶＧＡ端子に同期信号がなく（＃４でＮＯ）、ＨＤＭＩ端子に同期信号がある場合には（＃６でＹＥＳ）、ＨＤＭＩ端子に音声信号がなければ（＃７でＮＯ）、ＨＤＭＩ端子を選局しているときに、音声を出力し（＃８）、ＨＤＭＩ端子に音声信号があれば（＃７でＹＥＳ）、ＨＤＭＩ端子、コンポジット端子又はコンポーネント端子を選局しているときに、音声を出力する（＃９）。【選択図】図２
2012142716.tif 000002
【特許請求の範囲】
【請求項１】
複数の映像入力端子と１つの音声入力端子とを備え、前記複数の映像入力端子のいずれかから入力される映像信号による映像を表示すると共に、前記音声入力端子から入力される音声信号による音声を出力する映像音声出力装置において、
前記音声入力端子から入力される音声信号による音声の出力を制御する音声出力制御手段と、
前記複数の映像入力端子の各々について、映像信号が入力されているか否かを判定する映像入力判定手段と、
外部装置からの映像を入力するための外部入力として、前記複数の映像入力端子のうちのいずれかの映像入力端子を選局する外部入力選局手段とを備え、
前記音声出力制御手段は、
前記映像入力判定手段による、前記複数の映像入力端子の各々についての映像信号が入力されているか否かの判定結果、及び前記外部入力選局手段による、前記複数の映像入力端子のうちのいずれかの映像入力端子の選局に基いて、前記音声入力端子から入力される音声信号による音声の出力を制御する、
ことを特徴とする映像音声出力装置。
【請求項２】
前記音声出力制御手段は、
前記複数の映像入力端子のうちのいずれかの映像入力端子に映像信号が入力されている場合には、
前記複数の映像入力端子のうち映像信号が入力されていない映像入力端子を選局しているときに、前記音声入力端子から入力された音声信号による音声を出力せず、
前記複数の映像入力端子のうち映像信号が入力されている映像入力端子を選局しているときに、前記音声入力端子から入力された音声信号による音声を出力する、
ことを特徴とする請求項１に記載の映像音声出力装置。
【請求項３】
前記映像入力判定手段は、前記複数の映像入力端子の各々について、同期信号があるか否かを検出し、同期信号がある場合に、映像信号が入力されていると判定する、
ことを特徴とする請求項１又は請求項２に記載の映像音声出力装置。
【請求項４】
前記複数の映像入力端子は、コンポジット端子と、コンポーネント端子と、ＶＧＡ端子と、ＨＤＭＩ端子とを含む、
ことを特徴とする請求項１乃至請求項３のいずれか一項に記載の映像音声出力装置。
【請求項５】
前記コンポジット端子と前記コンポーネント端子のＹ端子がＹ／ＣＶＢＳ端子として共用されている、
ことを特徴とする請求項４に記載の映像音声出力装置。
【請求項６】
前記音声出力制御手段は、
前記Ｙ／ＣＶＢＳ端子に同期信号がある場合には、
前記ＶＧＡ端子及び前記ＨＤＭＩ端子に同期信号があるか否かに関わらず、
前記ＶＧＡ端子又は前記ＨＤＭＩ端子を選局しているときに、前記音声入力端子から入力されている音声信号による音声、及び前記ＨＤＭＩ端子から入力されている音声信号による音声を出力せず、
前記コンポジット端子又は前記コンポーネント端子を選局しているときに、前記音声入力端子から入力されている音声信号による音声を出力し、
前記Ｙ／ＣＶＢＳ端子に同期信号がなく、前記ＶＧＡ端子に同期信号がある場合には、
前記ＨＤＭＩ端子に同期信号があるか否かに関わらず、
前記コンポジット端子、前記コンポーネント端子、又は前記ＨＤＭＩ端子を選局しているときに、前記音声入力端子から入力されている音声信号による音声、及び前記ＨＤＭＩ端子から入力されている音声信号による音声を出力せず、
前記ＶＧＡ端子を選局しているときに、前記音声入力端子から入力されている音声信号による音声を出力し、
前記Ｙ／ＣＶＢＳ端子及び前記ＶＧＡ端子に同期信号がなく、前記ＨＤＭＩ端子に同期信号がある場合であって、前記ＨＤＭＩ端子に音声信号がない場合には、
前記コンポジット端子、前記コンポーネント端子、又は前記ＶＧＡ端子を選局しているときに、前記音声入力端子から入力されている音声信号による音声を出力せず、
前記ＨＤＭＩ端子を選局しているときに、前記音声入力端子から入力されている音声信号による音声を出力し、
前記Ｙ／ＣＶＢＳ端子及び前記ＶＧＡ端子に同期信号がなく、前記ＨＤＭＩ端子に同期信号がある場合であって、前記ＨＤＭＩ端子に音声信号がある場合には、
前記ＶＧＡ端子を選局しているときに、前記音声入力端子から入力されている音声信号による音声、及び前記ＨＤＭＩ端子から入力されている音声信号による音声を出力せず、
前記ＨＤＭＩ端子を選局しているときに、前記ＨＤＭＩ端子から入力されている音声信号による音声を出力し、
前記コンポジット端子又は前記コンポーネント端子を選局しているときに、前記音声入力端子から入力されている音声信号による音声を出力し、
前記Ｙ／ＣＶＢＳ端子、前記ＶＧＡ端子、及び前記ＨＤＭＩ端子のいずれにも同期信号がない場合には、
前記ＶＧＡ端子又は前記ＨＤＭＩ端子を選局しているときに、前記音声入力端子から入力されている音声信号による音声を出力せず、
前記コンポジット端子又は前記コンポーネント端子を選局しているときに、前記音声入力端子から入力されている音声信号による音声を出力する、
ことを特徴とする請求項５に記載の映像音声出力装置。
【請求項７】
本装置の動作を指示するためにユーザにより操作される操作手段と、
ユーザによる前記操作手段の操作に基いて、前記複数の映像入力端子のうちのいずれかの映像入力端子を音声出力優先端子として設定する設定手段とをさらに備え、
前記音声出力制御手段は、
前記設定手段により音声出力優先端子として設定されている映像入力端子に同期信号がある場合には、
前記音声出力優先端子として設定されている映像入力端子以外の映像入力端子に同期信号があるか否かに関わらず、
前記音声出力優先端子として設定されている映像入力端子を選局しているときに、前記音声入力端子から入力される音声信号による音声を出力する、
ことを特徴とする請求項１乃至請求項６のいずれか一項に記載の映像音声出力装置。
【発明の詳細な説明】
【技術分野】
【０００１】
本発明は、外部装置から入力される映像信号による映像を表示すると共に、外部装置から入力される音声信号による音声を出力する映像音声出力装置に関するものである。
【背景技術】
【０００２】
従来から、例えばテレビジョン受像機などの映像音声出力装置において、パソコンやＢＤプレイヤなどの外部装置を接続して、外部装置から入力される映像信号による映像を表示すると共に、外部装置から入力される音声信号による音声を出力することができるものがある。また、このような映像音声出力装置において、外部装置から映像信号を入力するための映像入力端子として、コンポジット端子、コンポーネント端子、ＶＧＡ端子、ＨＤＭＩ端子などの複数の映像入力端子を備えると共に、コストダウンのために、外部装置から音声信号を入力するための音声入力端子として、１つの音声入力端子を備えたものがある。このような映像音声出力装置では、外部装置からの映像を入力するための外部入力として、いずれの映像入力端子を選局しても、音声入力端子から入力される音声信号による音声を出力するようになっている。
【０００３】
一方、第１の映像入力端子と第２の映像入力端子を備え、第１の映像入力端子と外部端子との接続状態と、入力切換部の入力の切換えに応じて、音声入力端子に入力された音声信号の出力を制御するようにしたテレビ受像機が知られている（例えば特許文献１参照）。また、優先ビデオ機器からのＡＶ信号を優先的に選択出力する際、優先ビデオ機器からのＡＶ信号のビデオ信号または同期信号が検出されたとき、優先入力端子に接続されているビデオ機器からのＡＶ信号を優先的に選択出力するようにしたＡＶ信号自動切換装置が知られている（例えば特許文献２参照）。また、外部入力モードにおいて、無信号時に、音声ミュートを解除して、内蔵アンプとスピーカをステレオ装置として使用できるようにした音声ミュート装置が知られている（例えば特許文献３参照）。
【先行技術文献】
【特許文献】
【０００４】
【特許文献１】特開２００９−２１８７１６号公報
【特許文献２】特開平５−１４５８４７号公報
【特許文献３】特開平７−２６４５００号公報
【発明の概要】
【発明が解決しようとする課題】
【０００５】
ところで、上述した従来の映像音声出力装置においては、いずれの映像入力端子を選局しても、音声入力端子から入力される音声信号による音声を出力するようになっているため、外部装置から映像信号が入力されていない映像入力端子を選局したときにも、音声入力端子から入力される音声信号による音声が出力されてしまう。すなわち、外部装置からの映像と関係のない音声が出力されてしまう。なお、上述した特許文献１乃至特許文献３に開示の内容を適用したとしても、上記の問題を解決することはできない。
【０００６】
本発明は、上記課題を解決するためになされたものであり、外部装置からの映像と関係のない音声が出力されないようにすることができる映像音声出力装置を提供することを目的とする。
【課題を解決するための手段】
【０００７】
上記目的を達成するために請求項１の発明は、複数の映像入力端子と１つの音声入力端子とを備え、複数の映像入力端子のいずれかから入力される映像信号による映像を表示すると共に、音声入力端子から入力される音声信号による音声を出力する映像音声出力装置において、音声入力端子から入力される音声信号による音声の出力を制御する音声出力制御手段と、複数の映像入力端子の各々について、映像信号が入力されているか否かを判定する映像入力判定手段と、外部装置からの映像を入力するための外部入力として、複数の映像入力端子のうちのいずれかの映像入力端子を選局する外部入力選局手段とを備え、音声出力制御手段は、映像入力判定手段による、複数の映像入力端子の各々についての映像信号が入力されているか否かの判定結果、及び外部入力選局手段による、複数の映像入力端子のうちのいずれかの映像入力端子の選局に基いて、音声入力端子から入力される音声信号による音声の出力を制御するものである。
【０００８】
請求項２の発明は、請求項１に記載の映像音声出力装置において、音声出力制御手段は、複数の映像入力端子のうちのいずれかの映像入力端子に映像信号が入力されている場合には、複数の映像入力端子のうち映像信号が入力されていない映像入力端子を選局しているときに、音声入力端子から入力された音声信号による音声を出力せず、複数の映像入力端子のうち映像信号が入力されている映像入力端子を選局しているときに、音声入力端子から入力された音声信号による音声を出力するものである。
【０００９】
請求項３の発明は、請求項１又は請求項２に記載の映像音声出力装置において、映像入力判定手段は、複数の映像入力端子の各々について、同期信号があるか否かを検出し、同期信号がある場合に、映像信号が入力されていると判定するものである。
【００１０】
請求項４の発明は、請求項１乃至請求項３のいずれか一項に記載の映像音声出力装置において、複数の映像入力端子は、コンポジット端子と、コンポーネント端子と、ＶＧＡ端子と、ＨＤＭＩ端子とを含むものである。
【００１１】
請求項５の発明は、請求項４に記載の映像音声出力装置において、コンポジット端子とコンポーネント端子のＹ端子がＹ／ＣＶＢＳ端子として共用されているものである。
【００１２】
請求項６の発明は、請求項５に記載の映像音声出力装置において、音声出力制御手段は、Ｙ／ＣＶＢＳ端子に同期信号がある場合には、ＶＧＡ端子及びＨＤＭＩ端子に同期信号があるか否かに関わらず、ＶＧＡ端子又はＨＤＭＩ端子を選局しているときに、音声入力端子から入力されている音声信号による音声、及びＨＤＭＩ端子から入力されている音声信号による音声を出力せず、コンポジット端子又はコンポーネント端子を選局しているときに、音声入力端子から入力されている音声信号による音声を出力し、Ｙ／ＣＶＢＳ端子に同期信号がなく、ＶＧＡ端子に同期信号がある場合には、ＨＤＭＩ端子に同期信号があるか否かに関わらず、コンポジット端子、コンポーネント端子、又はＨＤＭＩ端子を選局しているときに、音声入力端子から入力されている音声信号による音声、及びＨＤＭＩ端子から入力されている音声信号による音声を出力せず、ＶＧＡ端子を選局しているときに、音声入力端子から入力されている音声信号による音声を出力し、Ｙ／ＣＶＢＳ端子及びＶＧＡ端子に同期信号がなく、ＨＤＭＩ端子に同期信号がある場合であって、ＨＤＭＩ端子に音声信号がない場合には、コンポジット端子、コンポーネント端子、又はＶＧＡ端子を選局しているときに、音声入力端子から入力されている音声信号による音声を出力せず、ＨＤＭＩ端子を選局しているときに、音声入力端子から入力されている音声信号による音声を出力し、Ｙ／ＣＶＢＳ端子及びＶＧＡ端子に同期信号がなく、ＨＤＭＩ端子に同期信号がある場合であって、ＨＤＭＩ端子に音声信号がある場合には、ＶＧＡ端子を選局しているときに、音声入力端子から入力されている音声信号による音声、及びＨＤＭＩ端子から入力されている音声信号による音声を出力せず、ＨＤＭＩ端子を選局しているときに、ＨＤＭＩ端子から入力されている音声信号による音声を出力し、コンポジット端子又はコンポーネント端子を選局しているときに、音声入力端子から入力されている音声信号による音声を出力し、Ｙ／ＣＶＢＳ端子、ＶＧＡ端子、及びＨＤＭＩ端子のいずれにも同期信号がない場合には、ＶＧＡ端子又はＨＤＭＩ端子を選局しているときに、音声入力端子から入力されている音声信号による音声を出力せず、コンポジット端子又はコンポーネント端子を選局しているときに、音声入力端子から入力されている音声信号による音声を出力するものである。
【００１３】
請求項７の発明は、請求項１乃至請求項６のいずれか一項に記載の映像音声出力装置において、本装置の動作を指示するためにユーザにより操作される操作手段と、ユーザによる操作手段の操作に基いて、複数の映像入力端子のうちのいずれかの映像入力端子を音声出力優先端子として設定する設定手段とをさらに備え、音声出力制御手段は、設定手段により音声出力優先端子として設定されている映像入力端子に同期信号がある場合には、音声出力優先端子として設定されている映像入力端子以外の映像入力端子に同期信号があるか否かに関わらず、音声出力優先端子として設定されている映像入力端子を選局しているときに、音声入力端子から入力される音声信号による音声を出力するものである。
【発明の効果】
【００１４】
請求項１乃至請求項３の発明によれば、複数の映像入力端子の各々についての映像信号が入力されているか否かの判定結果に基いて、音声入力端子から入力される音声信号による音声の出力を制御することにより、映像信号が入力されていない映像入力端子を選局しているときには、音声入力端子から入力された音声信号による音声を出力せずに、映像信号が入力されている映像入力端子を選局しているときにのみ、音声入力端子から入力された音声信号による音声を出力することが可能になる。すなわち、外部装置からの映像を表示しているときにのみ、外部装置からの音声を出力することが可能になり、外部装置からの映像と関係のない音声が出力されないようにすることができる。
【００１５】
請求項４の発明によれば、外部装置からのコンポジット映像信号、コンポーネント映像信号、アナログＲＧＢコンポーネント信号、ＨＤＭＩ信号、及びＤＶＩ信号の入力に対応可能である。
【００１６】
請求項５の発明によれば、コンポジット端子とコンポーネント端子のＹ端子とを別個に設けた構成と比較して、映像入力端子の個数を減らすことができる。
【００１７】
請求項６の発明によれば、コンポジット端子／コンポーネント端子、ＶＧＡ端子、ＨＤＭＩ端子の順に優先度が定められることになり、コンポジット端子、コンポーネント端子、ＶＧＡ端子、ＨＤＭＩ端子のうちの複数の映像入力端子に映像信号が入力されている場合には、それら複数の映像入力端子のうちの優先度の最も高い映像入力端子に映像信号を入力している外部装置からの映像を表示しているときにのみ、外部装置からの音声を出力することができる。
【００１８】
請求項７の発明によれば、いずれかの映像入力端子を音声出力優先端子として設定しておくことにより、音声出力優先端子として設定している映像入力端子に映像信号を入力している外部装置からの映像を表示しているときに、外部装置からの音声を出力することができる。
【図面の簡単な説明】
【００１９】
【図１】本発明の一実施形態に係るテレビジョン受像機の概略構成を示す電気的ブロック構成図。
【図２】同テレビジョン受像機の動作を示すフローチャート。
【発明を実施するための形態】
【００２０】
以下、本発明を具体化した実施形態による映像音声出力装置について図面を参照して説明する。図１は、本実施形態による映像音声出力装置であるテレビジョン受像機の構成を示す。テレビジョン受像機１は、テレビジョン放送局から放送されるテレビジョン信号を受信して、テレビジョン信号による映像を表示すると共に、テレビジョン信号による音声を出力する装置である。また、このテレビジョン受像機１は、例えばパソコンやＢＤプレイヤなどの外部装置を接続して使用できるようになっており、外部装置から入力される映像信号による映像を表示すると共に、外部装置から入力される音声信号による音声を出力する装置である。
【００２１】
テレビジョン受像機１は、テレビジョン受信部１１と、複数の映像入力端子として、コンポジット端子（ＣＶＢＳ端子）１２、コンポーネント端子１３、ＶＧＡ端子（アナログＲＧＢ端子）１４、及びＨＤＭＩ端子１５と、１つの音声入力端子１６と、ＨＤＭＩレシーバ１７とを備えている。また、テレビジョン受像機１は、映像出力切換部１８と、映像処理部１９と、ディスプレイ２０と、音声出力切換部２１と、音声処理部２２と、スピーカ２３と、同期信号検出部２４、２５、２６と、音声信号検出部２７と、リモコン２８（操作手段）と、リモコン受信部２９と、制御部（音声出力制御手段、映像入力判定手段、外部入力選局手段、設定手段）３０とを備えている。
【００２２】
テレビジョン受信部１１は、制御部３０による制御のもと、テレビジョン信号を受信して、受信したテレビジョン信号による映像信号及び音声信号を生成する。
【００２３】
コンポジット端子１２は、コンポジット映像信号入力用の端子である。コンポーネント端子１３は、コンポーネント映像信号入力用の端子であり、Ｙ端子１３ｙと、Ｃｂ端子１３ｃｂと、Ｃｒ端子１３ｃｒとを有している。Ｙ端子１３ｙは、コンポーネント映像信号のＹ信号（輝度信号と同期信号とを合成した信号）入力用の端子であり、Ｃｂ端子１３ｃｂは、コンポーネント信号のＣｂ信号（青の色信号から輝度信号を取り除いた色差信号）入力用の端子であり、Ｃｒ端子１３ｃｒは、コンポーネント映像信号のＣｒ信号（赤の色信号から輝度信号を取り除いた色差信号）入力用の端子である。コンポジット端子１２とコンポーネント端子１３のＹ端子１３ｙは、Ｙ／ＣＢＶＳ端子４０として共用されている。ＶＧＡ端子１４は、アナログＲＧＢコンポーネント信号入力用の端子である。ＨＤＭＩ端子１５は、ＨＤＭＩ信号及びＤＶＩ信号入力用の端子である。
【００２４】
音声入力端子１６は、音声信号入力用の端子であり、左音声端子１６Ｌと、右音声端子１６Ｒとを有している。左音声端子１６Ｌは、左の音声信号入力用の端子であり、右音声端子１６Ｒは、右の音声信号入力用の端子である。
【００２５】
コンポジット端子１２、コンポーネント端子１３、ＶＧＡ端子１４、ＨＤＭＩ端子１５、音声入力端子１６には、信号ケーブルを介して、外部装置が接続される。外部装置からの映像信号は、信号ケーブルを介して、コンポジット端子１２、コンポーネント端子１３、ＶＧＡ端子１４、又はＨＤＭＩ端子１５から入力され、外部装置からの音声信号は、信号ケーブルを介して、ＨＤＭＩ端子１５、又は音声入力端子１６から入力される。
【００２６】
ＨＤＭＩレシーバ１７は、ＨＤＭＩ端子１５から入力されたＨＤＭＩ信号を処理して、ＨＤＭＩ端子１５から入力されたＨＤＭＩ信号による映像信号及び音声信号を生成する。また、ＨＤＭＩレシーバ１７は、ＨＤＭＩ端子１５から入力されたＤＶＩ信号を処理して、ＨＤＭＩ端子１５から入力されたＤＶＩ信号による映像信号を生成する。
【００２７】
映像出力切換部１８は、制御部３０による制御のもと、テレビジョン受信部１１により生成された映像信号を映像処理部１９に出力する状態と、コンポジット端子１２から入力されたコンポジット映像信号を映像処理部１９に出力する状態と、コンポーネント端子１３から入力されたコンポーネント映像信号（Ｙ端子１３ｙから入力されたＹ信号、Ｃｂ端子１３ｃｂから入力されたＣｂ信号、及びＣｒ端子１３ｃｒから入力されたＣｒ信号）を映像処理部１９に出力する状態と、ＶＧＡ端子１４から入力されたアナログＲＧＢコンポーネント信号を映像処理部１９に出力する状態と、ＨＤＭＩレシーバ１７により生成された映像信号を映像処理部１９に出力する状態と、に選択的に切換える。
【００２８】
映像処理部１９は、映像出力切換部１８から出力された映像信号に対して各種の映像信号処理を行い、その処理後の映像信号をディスプレイ２０に供給する。ディスプレイ２０は、映像処理部１９から供給された映像信号による画像を表示する。
【００２９】
音声出力切換部２１は、制御部３０による制御のもと、テレビジョン受信部１１により生成された音声信号を音声処理部２２に出力する状態と、ＨＤＭＩレシーバ１７により生成された音声信号を音声処理部２２に出力する状態と、音声入力端子１６から入力された音声信号（左音声端子１６Ｌから入力された左の音声信号、及び右音声端子１６Ｒから入力された右の音声信号）を音声処理部２２に出力する状態と、いずれの音声信号も音声処理部２２に出力しない状態と、に選択的に切換える。
【００３０】
音声処理部２２は、音声出力切換部２１から出力された音声信号に対して各種の音声信号処理を行い、その処理後の音声信号をスピーカ２３に供給する。スピーカ２３は、音声処理部２２から供給された音声信号による音声を出力する。
【００３１】
同期信号検出部２４は、Ｙ／ＣＢＶＳ端子４０から入力されている信号を検査して、Ｙ／ＣＢＶＳ端子４０から入力されている信号に同期信号（コンポジット映像信号の同期信号、又はコンポーネント映像信号の同期信号）が含まれているか否かを検出し、その検出結果を示す検出信号を出力する。同期信号検出部２５は、ＶＧＡ端子１４から入力されている信号を検査して、ＶＧＡ端子１４から入力されている信号に同期信号（アナログＲＧＢコンポーネント信号の同期信号）が含まれているか否かを検出し、その検出結果を示す検出信号を出力する。同期信号検出部２６は、ＨＤＭＩ端子１５から入力されている信号を検査して、ＨＤＭＩ端子１５から入力されている信号に同期信号（ＨＤＭＩ信号の同期信号又はＤＶＩ信号の同期信号）が含まれているか否かを検出し、その検出結果を示す検出信号を出力する。
【００３２】
音声信号検出部２７は、ＨＤＭＩ端子１５から入力されている信号を検査して、ＨＤＭＩ端子１５から入力されている信号に音声信号（ＨＤＭＩ信号の音声信号）が含まれているか否かを検出し、その検出結果を示す検出信号を出力する。
【００３３】
リモコン２８は、テレビジョン受像機１の各種動作を指示するためにユーザに操作され、その操作内容を示す操作信号を赤外線によって送信する。リモコン受信部２９は、リモコン２８から送信される操作信号を受信する。
【００３４】
制御部３０は、リモコン受信部２９により受信した操作信号に基いて、ユーザによるリモコン２８の操作内容を判断する。また、制御部３０は、同期信号検出部２４、２５、２６から出力される検出信号に基いて、コンポジット端子１２、コンポーネント端子１３、ＶＧＡ端子１４、及びＨＤＭＩ端子１５の各々について、映像信号が入力されているか否かを判定する。すなわち、制御部３０は、同期信号検出部２４、２５、２６から出力される検出信号に基いて、コンポジット端子１２、コンポーネント端子１３、ＶＧＡ端子１４、及びＨＤＭＩ端子１５の各々について、同期信号があるか否かを検出し、同期信号がある場合に、映像信号が入力されていると判定する。また、制御部３０は、音声信号検出部２７から出力される検出信号に基いて、ＨＤＭＩ端子１５に音声信号があるか否かを判定する。
【００３５】
また、制御部３０は、映像出力切換部１８における映像信号の出力状態を制御することにより、テレビジョン受信部１１を選局し、又は、外部装置からの映像を入力するための外部入力として、コンポジット端子１２、コンポーネント端子１３、ＶＧＡ端子１４、ＨＤＭＩ端子１５のうちのいずれかの映像入力端子を選局する。そして、制御部３０は、これらの選局を制御することにより、テレビジョン受信部１１により受信されるテレビジョン信号による映像の表示、コンポジット端子１２から入力されるコンポジット映像信号による映像の表示、コンポーネント端子１３から入力されるコンポーネント映像信号による映像の表示、ＶＧＡ端子１４から入力されるアナログＲＧＢコンポーネント信号による映像の表示、ＨＤＭＩ端子１５から入力されるＨＤＭＩ信号又はＤＶＩ信号による映像の表示を制御する。
【００３６】
すなわち、制御部３０は、映像出力切換部１８をテレビジョン受信部１１により生成された映像信号を出力する状態にすることにより、テレビジョン受信部１１を選局して、テレビジョン受信部１１により受信されるテレビジョン信号による映像をディスプレイ２０に表示する。また、制御部３０は、映像出力切換部１８をコンポジット端子１２から入力されたコンポジット映像信号を出力する状態にすることにより、コンポジット端子１２を選局して、コンポジット端子１２から入力されるコンポジット映像信号による映像をディスプレイ２０に表示する。また、制御部３０は、映像出力切換部１８をコンポーネント端子１３から入力されたコンポーネント映像信号を出力する状態にすることにより、コンポーネント端子１３を選局して、コンポーネント端子１３から入力されるコンポーネント映像信号による映像をディスプレイ２０に表示する。また、制御部３０は、映像出力切換部１８をＶＧＡ端子１４から入力されたアナログＲＧＢコンポーネント信号を出力する状態にすることにより、ＶＧＡ端子１４を選局して、ＶＧＡ端子１４から入力されるアナログＲＧＢコンポーネント信号による映像をディスプレイ２０に表示する。また、制御部３０は、映像出力切換部１８をＨＤＭＩレシーバ１７により生成された映像信号を出力する状態にすることにより、ＨＤＭＩ端子１５を選局して、ＨＤＭＩ端子１５から入力されるＨＤＭＩ信号又はＤＶＩ信号による映像をディスプレイ２０に表示する。
【００３７】
制御部３０は、ユーザによるリモコン２８の操作に基いて、テレビジョン受信部１１、コンポジット端子１２、コンポーネント端子１３、ＶＧＡ端子１４、ＨＤＭＩ端子１５の選局（すなわち映像の表示）を制御する。
【００３８】
また、制御部３０は、音声出力切換部２１における音声信号の出力状態を制御することにより、テレビジョン受信部１１により受信されるテレビジョン信号による音声の出力、ＨＤＭＩ端子１５から入力されるＨＤＭＩ信号による音声の出力、音声入力端子１６から入力される音声信号による音声の出力を制御する。
【００３９】
すなわち、制御部３０は、音声出力切換部２１における音声信号の出力状態を、テレビジョン受信部１１により生成された音声信号を音声処理部２２に出力する状態にすることにより、テレビジョン受信部１１により受信されるテレビジョン信号による音声をスピーカ２３から出力する。また、制御部３０は、音声出力切換部２１における音声信号の出力状態を、ＨＤＭＩレシーバ１７により生成された音声信号を音声処理部２２に出力する状態にすることにより、ＨＤＭＩ端子１５から入力されるＨＤＭＩ信号による音声をスピーカ２３から出力する。また、制御部３０は、音声出力切換部２１における音声信号の出力状態を、音声入力端子１６から入力された音声信号を音声処理部２２に出力する状態にすることにより、音声入力端子１６から入力される音声信号による音声をスピーカ２３から出力する。また、制御部３０は、音声出力切換部２１における音声信号の出力状態を、いずれの音声信号も音声処理部２２に出力しない状態にすることにより、音声をスピーカ２３から出力しない。
【００４０】
制御部３０は、テレビジョン受信部１１、コンポジット端子１２、コンポーネント端子１３、ＶＧＡ端子１４、ＨＤＭＩ端子１５のいずれを選局しているかの選局状況に応じて、これら音声の出力を制御する。すなわち、制御部３０は、テレビジョン受信部１１を選局しているときには、テレビジョン受信部１１により受信したテレビジョン信号による音声を出力する。また、制御部３０は、コンポジット端子１２、コンポーネント端子１３、ＶＧＡ端子１４、ＨＤＭＩ端子１５のいずれかを選局しているときには、それらの映像入力端子の各々についての映像信号が入力されているか否かの判定結果に基いて、音声の出力を制御する。つまり、制御部３０は、コンポジット端子１２、コンポーネント端子１３、ＶＧＡ端子１４、ＨＤＭＩ端子１５のいずれかを選局しているときには、それらの映像入力端子の各々についての同期信号があるか否か、及び、それらの映像入力端子のいずれを選局しているかに基いて、音声入力端子１６から入力される音声信号による音声、又はＨＤＭＩ端子１５から入力されるＨＤＭＩ信号による音声を出力する。
【００４１】
図２は、テレビジョン受像機１の動作フローチャートを示す。制御部３０は、１秒経過する毎に（＃１でＹＥＳ）、Ｙ／ＣＢＶＳ端子４０に同期信号があるか否かを判定する（＃２）。そして、Ｙ／ＣＢＶＳ端子４０に同期信号がある場合には（＃２でＹＥＳ）、制御部３０は、コンポジット端子１２又はコンポーネント端子１３を選局しているときに、音声入力端子１６から入力されている音声信号による音声を出力する（＃３）。
【００４２】
すなわち、制御部３０は、Ｙ／ＣＢＶＳ端子４０に同期信号がある場合には、ＶＧＡ端子１４及びＨＤＭＩ端子１５に同期信号があるか否かに関わらず、ＶＧＡ端子１４又はＨＤＭＩ端子１５を選局しているときに、音声入力端子１６から入力されている音声信号による音声、及びＨＤＭＩ端子１５から入力されている音声信号（ＨＤＭＩ信号による音声信号）による音声を出力せず、コンポジット端子１２又はコンポーネント端子１３を選局しているときに、音声入力端子１６から入力されている音声信号による音声を出力する。＃３の処理の後、制御部３０は、＃１以降の処理を繰り返す。
【００４３】
また、Ｙ／ＣＢＶＳ端子４０に同期信号がない場合には（＃２でＮＯ）、制御部３０は、ＶＧＡ端子１４に同期信号があるか否かを判定する（＃４）。そして、ＶＧＡ端子１４に同期信号がある場合には（＃４でＹＥＳ）、制御部３０は、ＶＧＡ端子１４を選局しているときに、音声入力端子１６から入力されている音声信号による音声を出力する（＃５）。
【００４４】
すなわち、制御部３０は、Ｙ／ＣＢＶＳ端子４０に同期信号がなく、ＶＧＡ端子１４に同期信号がある場合には、ＨＤＭＩ端子１５に同期信号があるか否かに関わらず、コンポジット端子１２、コンポーネント端子１３、又はＨＤＭＩ端子１５を選局しているときに、音声入力端子１６から入力されている音声信号による音声、及びＨＤＭＩ端子１５から入力されている音声信号による音声を出力せず、ＶＧＡ端子１４を選局しているときに、音声入力端子１６から入力されている音声信号による音声を出力する。＃５の処理の後、制御部３０は、＃１以降の処理を繰り返す。
【００４５】
また、ＶＧＡ端子１４に同期信号がない場合には（＃４でＮＯ）、制御部３０は、ＨＤＭＩ端子１５に同期信号があるか否かを判定する（＃６）。ここで、ＨＤＭＩ端子１５に同期信号がある場合には（＃６でＹＥＳ）、ＨＤＭＩ端子１５に音声信号があるか否か（すなわちＨＤＭＩ端子１５に入力されている信号がＨＤＭＩ信号であるかＤＶＩ信号であるか）を判定する（＃７）。そして、ＨＤＭＩ端子１５に音声信号がない（ＨＤＭＩ端子１５に入力されている信号がＤＶＩ信号である）場合には（＃７でＮＯ）、制御部３０は、ＨＤＭＩ端子１５を選局しているときに、音声入力端子１６から入力されている音声信号による音声を出力する（＃８）。
【００４６】
すなわち、制御部３０は、Ｙ／ＣＢＶＳ端子４０及びＶＧＡ端子１４に同期信号がなく、ＨＤＭＩ端子１５に同期信号がある場合であって、ＨＤＭＩ端子１５に音声信号がない場合には、コンポジット端子１２、コンポーネント端子１３、又はＶＧＡ端子１４を選局しているときに、音声入力端子１６から入力されている音声信号による音声を出力せず、ＨＤＭＩ端子１５を選局しているときに、音声入力端子１６から入力されている音声信号による音声を出力する。＃８の処理の後、制御部３０は、＃１以降の処理を繰り返す。
【００４７】
一方、ＨＤＭＩ端子１５に音声信号がある（ＨＤＭＩ端子１５に入力されている信号がＨＤＭＩ信号である）場合には（＃７でＹＥＳ）、制御部３０は、ＨＤＭＩ端子１５を選局しているときに、ＨＤＭＩ端子１５から入力されている音声信号による音声を出力し、コンポジット端子１２又はコンポーネント端子１３を選局しているときに、音声入力端子１６から入力されている音声信号による音声を出力する（＃９）。
【００４８】
すなわち、制御部３０は、Ｙ／ＣＢＶＳ端子４０及びＶＧＡ端子１４に同期信号がなく、ＨＤＭＩ端子１５に同期信号がある場合であって、ＨＤＭＩ端子１５に音声信号がある場合には、ＶＧＡ端子１４を選局しているときに、音声入力端子１６から入力されている音声信号による音声、及びＨＤＭＩ端子１５から入力されている音声信号による音声を出力せず、ＨＤＭＩ端子１５を選局しているときに、ＨＤＭＩ端子１５から入力されている音声信号による音声を出力し、コンポジット端子１２又はコンポーネント端子１３を選局しているときに、音声入力端子１６から入力されている音声信号による音声を出力する。＃９の処理の後、制御部３０は、＃１以降の処理を繰り返す。
【００４９】
また、ＨＤＭＩ端子１５に同期信号がない場合には（＃６でＮＯ）、制御部３０は、コンポジット端子１２又はコンポーネント端子１３を選局しているときに、音声入力端子１６から入力されている音声信号による音声を出力する（＃１０）。
【００５０】
すなわち、制御部３０は、Ｙ／ＣＢＶＳ端子４０、ＶＧＡ端子１４、及びＨＤＭＩ端子１５のいずれにも同期信号がない場合には、ＶＧＡ端子１４又はＨＤＭＩ端子１５を選局しているときに、音声入力端子１６から入力されている音声信号による音声を出力せず、コンポジット端子１２又はコンポーネント端子１３を選局しているときに、音声入力端子１６から入力されている音声信号による音声を出力する。＃１０の処理の後、制御部３０は、＃１以降の処理を繰り返す。
【００５１】
このような動作により、制御部３０は、コンポジット端子１２、コンポーネント端子１３、ＶＧＡ端子１４、及びＨＤＭＩ端子１５のいずれかに映像信号が入力されている場合には、映像信号が入力されていない映像入力端子を選局しているときに、音声入力端子１６から入力された音声信号による音声、及びＨＤＭＩ端子１５から入力された音声信号による音声を出力しない。
【００５２】
そして、このような動作により、制御部３０は、コンポジット端子１２、コンポーネント端子１３、ＶＧＡ端子１４、及びＨＤＭＩ端子１５のうちのいずれか１つの映像入力端子にだけ映像信号が入力されている場合には、映像信号が入力されている映像入力端子を選局しているときに、音声入力端子１６から入力された音声信号による音声を出力する。但し、ＨＤＭＩ端子１５にだけ映像信号が入力されていて、ＨＤＭＩ端子１５に音声信号がある（すなわちＨＤＭＩ端子１５に入力されている信号がＨＤＭＩ信号である）場合には、ＨＤＭＩ端子１５を選局しているときに、ＨＤＭＩ端子１５から入力された音声信号による音声を出力する。
【００５３】
また、このような動作により、制御部３０は、コンポジット端子１２、コンポーネント端子１３、ＶＧＡ端子１４、及びＨＤＭＩ端子１５のうちの複数の映像入力端子に映像信号が入力されている場合には、コンポジット端子１２／コンポーネント端子１３、ＶＧＡ端子１４、及びＨＤＭＩ端子１５の順の優先度に基いて、音声の出力を制御する。すなわち、制御部３０は、コンポジット端子１２、コンポーネント端子１３、ＶＧＡ端子１４、及びＨＤＭＩ端子１５のうちの複数の映像入力端子に映像信号が入力されている場合には、映像信号が入力されている複数の映像入力端子のうちの優先度の低い映像入力端子を選局しているときに、音声入力端子１６から入力された音声信号による音声、及びＨＤＭＩ端子１５から入力された音声信号による音声を出力しない。そして、制御部３０は、この場合には、映像信号が入力されている複数の映像入力端子のうちの優先度の最も高い映像入力端子を選局しているときに、音声入力端子１６から入力された音声信号による音声を出力する。
【００５４】
また、制御部３０は、ユーザによるリモコン２８の操作に基いて、コンポジット端子１２、コンポーネント端子１３、ＶＧＡ端子１４、及びＨＤＭＩ端子１５のうちのいずれかの映像入力端子を音声出力優先端子として設定することが可能である。この設定は、メニュー画面を表示して行われる。
【００５５】
そして、制御部３０は、音声出力優先端子として設定されている映像入力端子に同期信号がある場合には、音声出力優先端子として設定されている映像入力端子以外の映像入力端子に同期信号があるか否かに関わらず、音声出力優先端子として設定されている映像入力端子を選局しているときに、音声入力端子１６から入力される音声信号による音声を出力する。但し、ＨＤＭＩ端子１５が音声出力優先端子として設定されていて、ＨＤＭＩ端子１５に同期信号があって、ＨＤＭＩ端子１５に音声信号がある（すなわちＨＤＭＩ端子１５に入力されている信号がＨＤＭＩ信号である）場合には、ＨＤＭＩ端子１５以外の映像入力端子に同期信号があるか否かに関わらず、ＨＤＭＩ端子１５を選局しているときに、ＨＤＭＩ端子１５から入力された音声信号による音声を出力する。
【００５６】
すなわち、制御部３０は、音声出力優先端子として設定されている映像入力端子を選局していて、音声出力優先端子として設定されている映像入力端子に映像信号が入力されているときには、上記の動作（＃１〜＃１０の動作）による音声出力の制御を行わず、音声入力端子１６から入力される音声信号による音声、又はＨＤＭＩ端子１５から入力された音声信号による音声を出力する。
【００５７】
なお、制御部３０は、テレビジョン受信部１１を選局しているときには、Ｙ／ＣＢＶＳ端子４０、ＶＧＡ端子１４、及びＨＤＭＩ端子１５に同期信号があるか否かに関わらず、テレビジョン受信部１１により生成された音声信号（テレビジョン受信部１１により受信したテレビジョン信号による音声信号）による音声を出力する。
【００５８】
このような構成のテレビジョン受像機１によれば、コンポジット端子１２、コンポーネント端子１３、ＶＧＡ端子１４、及びＨＤＭＩ端子１５のいずれかに映像信号が入力されている場合には、映像信号が入力されていない映像入力端子を選局しているときには、音声入力端子１６から入力された音声信号による音声、又はＨＤＭＩ端子１５から入力された音声信号による音声が出力されず、映像信号が入力されている映像入力端子を選局しているときにのみ、音声入力端子１６から入力された音声信号による音声、又はＨＤＭＩ端子１５から入力された音声信号による音声が出力される。すなわち、外部装置からの映像を表示しているときにのみ、外部装置からの音声を出力することができ、外部装置からの映像と関係のない音声が出力されないようにすることができる。
【００５９】
また、複数の映像入力端子として、コンポジット端子１２、コンポーネント端子１３、ＶＧＡ端子１４、及びＨＤＭＩ端子１５を備えているため、外部装置からのコンポジット映像信号、コンポーネント映像信号、アナログＲＧＢコンポーネント信号、ＨＤＭＩ信号、及びＤＶＩ信号の入力に対応可能である。
【００６０】
また、コンポジット端子１２とコンポーネント端子１３のＹ端子１３ｙとがＹ／ＣＶＢＳ端子４０として共用されているため、コンポジット端子１２とコンポーネント端子１３のＹ端子１３ｙとを別個に設けた構成と比較して、映像入力端子の個数を減らすことができる。
【００６１】
また、コンポジット端子１２／コンポーネント端子１３、ＶＧＡ端子１４、ＨＤＭＩ端子１５の順に優先度が定められることになり、コンポジット端子１２、コンポーネント端子１３、ＶＧＡ端子１４、ＨＤＭＩ端子１５のうちの複数の映像入力端子に映像信号が入力されている場合には、それら複数の映像入力端子のうちの優先度の最も高い映像入力端子に映像信号を入力している外部装置からの映像を表示しているときにのみ、外部装置からの音声を出力することができる。
【００６２】
また、コンポジット端子１２、コンポーネント端子１３、ＶＧＡ端子１４、ＨＤＭＩ端子１５のうちのいずれかの映像入力端子を音声出力優先端子として設定しておくことにより、音声出力優先端子として設定している映像入力端子に映像信号を入力している外部装置からの映像を表示しているときに、外部装置からの音声を出力することができる。
【００６３】
なお、本発明は、上記実施形態の構成に限られず、種々の変形が可能である。例えば、Ｙ／ＣＶＢＳ端子、ＶＧＡ端子、及びＨＤＭＩ端子のいずれにも同期信号がない場合（＃６でＮＯの場合）には、いずれの映像入力端子を選局しても、音声入力端子から入力されている音声信号による音声を出力しないようにしてもよい。また、コンポジット端子とコンポーネント端子のＹ端子は、Ｙ／ＣＶＢＳ端子として共用されておらず、別個に設けられていてもよい。また、本発明は、テレビジョン受像機に限られず、複数の映像入力端子と１つの音声入力端子とを備える映像音声出力装置であれば、どのような映像音声出力装置にも適用可能である。
【符号の説明】
【００６４】
１    テレビジョン受像機（映像音声出力装置）
１１    テレビジョン受信部
１２    コンポジット端子（映像入力端子）
１３    コンポーネント端子（映像入力端子）
１３ｙ    Ｙ端子
１３ｃｂ    Ｃｂ端子
１３ｃｒ    Ｃｒ端子
１４    ＶＧＡ端子（映像入力端子）
１５    ＨＤＭＩ端子（映像入力端子）
１６    音声入力端子
１６Ｌ    左音声端子
１６Ｒ    右音声端子
１７    ＨＤＭＩレシーバ
１８    映像出力切換部
１９    映像処理部
２０    ディスプレイ
２１    音声出力切換部
２２    音声処理部
２３    スピーカ
２４、２５、２６    同期信号検出部
２７    音声信号検出部
２８    リモコン（操作手段）
２９    リモコン受信部
３０    制御部（音声出力制御手段、映像入力判定手段、外部入力選局手段、設定手段）
４０    Ｙ／ＣＢＶＳ端子
【図１】
2012142716.tif 000003
【図２】
2012142716.tif 000004